(57)【要約】【課題】貯蔵雰囲気が調整可能な貯蔵庫を備えつつ、収納スペースのレイアウトの自由度が高い家具を提供する【解決手段】前面に開口し内部に貯蔵室４１１が形成された筐体４１２と、開口を開閉する扉４１３と、貯蔵室４１１の貯蔵雰囲気を調整する調整部４１４とを備えた貯蔵庫ユニット４１と、複数の収納部３１，３２，３３，３４が形成された家具本体２とを備え、貯蔵庫ユニット４１が、収納部３１，３２，３３，３４に挿入され家具本体２に着脱可能に設けられている。【選択図】        図３
2020041762.tif 000002
【特許請求の範囲】
【請求項１】
前面に開口し内部に貯蔵室が形成された筐体と、前記開口を開閉する扉と、前記貯蔵室の貯蔵雰囲気を調整する調整部とを備えた貯蔵庫ユニットと、
複数の収納部が形成された家具本体とを備え、
前記貯蔵庫ユニットが、前記収納部に挿入され前記家具本体に着脱可能に設けられた家具。
【請求項２】
前記筐体の背面に設けられた受電コネクタと、前記収納部の背面に設けられた給電コネクタとを備え、
前記貯蔵庫ユニットを前記収納部に挿入すると前記受電コネクタが前記給電コネクタに接続され、前記貯蔵庫ユニットに電源が供給される請求項１に記載の家具。
【請求項３】
前記貯蔵庫ユニットは、内部が冷却される第１貯蔵室と、内部が加熱される第２貯蔵室とを備える請求項１又は２に記載の家具。
【請求項４】
前記貯蔵庫ユニットは、前記貯蔵室の冷却と加熱とを切り替えて行う請求項１又は２に記載の家具。
【請求項５】
前記調整部は、ペルチェ素子を備え、前記貯蔵室の温度を調整する１又は２に記載の家具。
【請求項６】
前記調整部は、前記貯蔵室の湿度を調整する請求項１又は２に記載の家具。
【請求項７】
前記貯蔵庫ユニットが前記収納部に挿入された状態において、前記筐体の背面より後方に前記家具本体の後端が位置する請求項１〜６のいずれか１項に記載の家具。
【発明の詳細な説明】
【技術分野】
【０００１】
本発明の実施形態は、家具に関するものである。
【背景技術】
【０００２】
従来より、寝室やリビングなどの居室において、冷蔵庫や保温庫等のような貯蔵雰囲気が調整可能な貯蔵庫を設置する場合、居室の美観や一体性を保つため、家具の収納部内に貯蔵庫を収容した家具が提案されている（例えば、下記特許文献１参照）。
【０００３】
しかしながら、上記の家具では、収納スペースのレイアウト変更が困難であるため、収納物の変化等に対応することが困難である。
【先行技術文献】
【特許文献】
【０００４】
【特許文献１】特開２０１３−１１３９７号公報
【発明の概要】
【発明が解決しようとする課題】
【０００５】
そこで、貯蔵雰囲気が調整可能な貯蔵庫を備えつつ、収納スペースのレイアウトの自由度が高い家具を提供することを目的とする。
【課題を解決するための手段】
【０００６】
本実施形態の家具は、前面に開口し内部に貯蔵室が形成された筐体と、前記開口を開閉する扉と、前記貯蔵室の貯蔵雰囲気を調整する調整部とを備えた貯蔵庫ユニットと、複数の収納部が形成された家具本体とを備え、前記貯蔵庫ユニットが、前記収納部に挿入され前記家具本体に着脱可能に設けられたものである。
【図面の簡単な説明】
【０００７】
【図１】本発明の一実施形態に係る家具の正面図
【図２】家具本体の正面図
【図３】図１のＡ−Ａ断面図
【図４】図１のＢ−Ｂ断面図
【図５】第１貯蔵庫ユニットの断面図
【図６】第２貯蔵庫ユニットの断面図
【図７】第３貯蔵庫ユニットの断面図
【図８】第３貯蔵庫ユニットに設けられた冷凍サイクルを示す図
【図９】扉と取り外した第４貯蔵庫ユニットの正面図
【図１０】第４貯蔵庫ユニットに設けられた冷凍サイクルを示す図
【図１１】図９のＣ−Ｃ断面図
【図１２】図９のＤ−Ｄ断面図
【発明を実施するための形態】
【０００８】
以下、図面に基づいて本発明の一実施形態について説明する。
【０００９】
図１に示すように、本実施形態に係る家具１は、複数の収納部３１、３２、３３、３４が形成された家具本体２と、収納部３１、３２、３３、３４に挿入され家具本体２に着脱可能に設けられた第１貯蔵庫ユニット４１、第２貯蔵庫ユニット４２、第３貯蔵庫ユニット４３及び第４貯蔵庫ユニット４４と、引き出し５０とを備えている。なお、第１貯蔵庫ユニット４１、第２貯蔵庫ユニット４２、第３貯蔵庫ユニット４３及び第４貯蔵庫ユニット４４は、総称して貯蔵庫ユニット４１，４２，４３，４４と呼ぶことがある。
【００１０】
家具本体２は、左右の側板２０Ｒ、２０Ｌと、天板２１と、底板２２と、棚板２３と、中央仕切板２４と、横桟２５を有し、前面及び背面に開口する矩形箱状をなしている。
【００１１】
左右の側板２０Ｒ、２０Ｌは、例えば木製の矩形状板材からなり、家具本体２の奥行き方向よりも高さ方向に長く形成されている。
【００１２】
左右の側板２０Ｒ、２０Ｌの内側面（対向面）には、天板２１、底板２２及び複数の棚板２３が不図示のボルトによって固定されている。天板２１及び底板２２は、左右の側板２０Ｒ、２０Ｌとともに家具本体２の外郭を構成する。これらの板２０Ｒ、２０Ｌ、２１、２２に囲われた内部空間が、複数の棚板２３によって上下に区画されている。
【００１３】
中央仕切板２４は、棚板２３の幅方向中央部に着脱可能に設けられ、棚板２３によって区画された空間を左右に分割する。
【００１４】
図１に例示する家具本体２では、３枚の棚板２３によって上下４段の収納部３１、３２、３３、３４に分割されている。上から１段目及び２段目の収納部３１、３２は、中央仕切板２４によって幅方向に２等分され、右側の収納部３１Ｒ、３２Ｒと左側の収納部３１Ｌ、３２Ｌに分割されている。
【００１５】
これにより、家具本体２は、上から１段目及び２段目に正面視において略正方形状をなしている同一形状の収納部３１Ｌ、３１Ｒ、３２Ｌ、３２Ｒが左右に並んで設けられ、上から３段目及び４段目に家具本体２の全幅にわたる長方形状の収納部３３、３４が設けられている。
【００１６】
なお、図１及び図２では、上から１段目及び２段目の収納部３１、３２に中央仕切板２４が設けられ、上から３段目及び４段目の収納部３３、３４に中央仕切板２４が設けられていないが、１段目及び２段目の収納部３１、３２に中央仕切板２４を設けず家具本体２の全幅にわたる長方形状の収納部としたり、３段目及び４段目の収納部３３、３４に中央仕切板２４を設けて、収納部３３、３４を左右に分割することができるようになっている。
【００１７】
天板２１、底板２２、棚板２３及び中央仕切板２４は、例えば木製の矩形状板材からなり、奥行き方向の長さが、左右の側板２０Ｒ、２０Ｌより短く設けられている。本実施形態では、天板２１、底板２２、棚板２３及び中央仕切板２４の前端面が、左右の側板２０Ｒ、２０Ｌの前端面に揃えた状態で固定されている。これにより、左右の側板２０Ｒ、２０Ｌの後端部が、天板２１、底板２２、棚板２３及び中央仕切板２４より後方へ突出する、家具本体２の後端をなしている。
【００１８】
横桟２５は、例えば木製の矩形状板材からなり、左右の側板２０Ｒ、２０Ｌの後端部を連結して家具本体２を補強する。また、横桟２５は、貯蔵庫ユニット４１、４２、４３、４４を収納部３１、３２、３３に挿入する際に、貯蔵庫ユニット４１、４２、４３、４４の背面が左右の側板２０Ｒ、２０Ｌの後端より後方に位置することがないように、貯蔵庫ユニット４１、４２、４３、４４の後方への移動を規制する。これにより、貯蔵庫ユニット４１，４２，４３，４４が収納部３１、３２、３３に挿入された状態において、貯蔵庫ユニット４１，４２，４３，４４の筐体４１２、４２２、４３２、４４２の背面より後方に家具本体２の後端が位置する。
【００１９】
具体的には、横桟２５は、左右の側板２０Ｒ、２０Ｌにおいて、天板２１、底板２２、棚板２３及び中央仕切板２４より後方へ突出する部分に固定されている。横桟２５は、棚板２３によって区画された４つの収納部３１、３２、３３、３４毎に１つずつ合計４つ設けられており、収納部３１、３２、３３、３４の底面を構成する棚板２３及び底板２２からの距離（高さ）が全て等しくなるように側板２０Ｒ、２０Ｌに固定されている。
【００２０】
また、横桟２５の前面には、貯蔵庫ユニット４１，４２，４３，４４へ電力を供給する複数の給電コネクタ２６が設けられている。
【００２１】
給電コネクタ２６は、中央仕切板２４によって収納部３１、３２、３３、３４を左右に分割して形成される８つの収納部において占める位置が一定になるように、各収納部にそれぞれ１つずつ設けられている。
【００２２】
つまり、横桟２５に設けられた各給電コネクタ２６は、収納部３１、３２、３３、３４の底面を構成する棚板２３及び底板２２からの距離（高さ）ｈと、左側板２０Ｌ及び中央仕切板２４から右へ離れる距離ｍが、等しくなるように１つの横桟２５に対して２つ設けられている。複数の給電コネクタ２６は、左右一方の側板（例えば、右側板２０Ｒ）及び横桟２５に設けられた配線２７を介してＡＣプラグ２８に接続されており、商用電源（壁コンセント）から電力が供給されるようになっている。
【００２３】
このような家具本体２は、収納部３１Ｒに第１貯蔵庫ユニット４１が装着され、収納部３１Ｌに第２貯蔵庫ユニット４２が装着され、収納部３２Ｌに第３貯蔵庫ユニット４３が装着され、収納部３３に第４貯蔵庫ユニット４４が装着され、収納部３４に引き出し５０が装着されている。
【００２４】
図３〜図１２に示すように、貯蔵庫ユニット４１、４２、４３、４４は、内部に貯蔵室４１１、４２１、４３１、４４１が形成された筐体４１２、４２２、４３２、４４２と、筐体４１２、４２２、４３２、４４２の前面開口部を開閉可能に閉塞する扉４１３、４２３、４３３、４４３と、貯蔵室４１１、４２１、４３１、４４１内の貯蔵雰囲気を調整する調整部４１４、４２４、４３４、４４４とを備える。
【００２５】
第１貯蔵庫ユニット４１を構成する筐体４１２は、鋼板製の外箱と合成樹脂製の内箱との間隙にウレタンフォームや真空断熱パネルなどの断熱材を設けることで、前面が開口し内部を貯蔵室４１１とした断熱性を有した箱状体からなる。この筐体４１２は、正面形状が収納部３１Ｌ、３１Ｒ、３２Ｌ、３２Ｒより若干小さい略正方形状に設けられており、収納部３１Ｌ、３１Ｒ、３２Ｌ、３２Ｒなど、中央仕切板２４によって区画された任意の収納部へ挿入可能な形状及び大きさをなしている。
【００２６】
筐体４１２の背面の所定位置には、受電コネクタ４１８が設けられている。第１貯蔵庫ユニット４１を収納部３１Ｌ、３１Ｒ、３２Ｌ、３２Ｒに挿入して家具本体２に装着すると、図３に示すように、受電コネクタ４１８が家具本体２に設けられた給電コネクタ２６に接続され、貯蔵庫ユニット４１が外部電源に接続される。また、家具本体２に装着された第１貯蔵庫ユニット４１は、前方へ引き抜くことで受電コネクタ４１８と給電コネクタ２６との接続が解除され、収納部３１Ｌ、３１Ｒ、３２Ｌ、３２Ｒから取り外される。
【００２７】
筐体４１２の内部に設けられた貯蔵室４１１は、調整部４１４を備えた仕切体４１５によって上下に区画され、仕切体４１５の上方に上側貯蔵室４１１ａが形成され、仕切体４１５の下方に下側貯蔵室４１１ｂが形成されている。
【００２８】
筐体４１２の前面開口部を開閉可能に閉塞する扉４１３は、扉前面板と扉内板の間にウレタンフォームや真空断熱パネルなどの断熱材が設けられた断熱扉からなる。なお、扉４１３の一部を２重ガラスなどのガラス板で構成して、外部より貯蔵室４１１を視認可能に設けてもよい。
【００２９】
調整部４１４は、上側貯蔵室４１１ａと下側貯蔵室４１１ｂとを異なる温度に調整するものであって、図５に示すように、ペルチェ素子４１４ａ、第１伝熱ブロック４１４ｂ、第２伝熱ブロック４１４ｃ、第１ファン４１４ｄ及び第２ファン４１４ｅを有し、仕切体４１５の内部に形成された空間に設けられている。
【００３０】
ペルチェ素子４１４ａは、不図示の電源基板よる制御（駆動電力）に従って熱を発生するものである。ペルチェ素子４１４ａは、仕切体４１５の内部に形成された空間を、第１空間Ｓ１と第２空間Ｓ２に区画する隔壁４１５ａの一部を構成している。
【００３１】
第１空間Ｓ１に向いたペルチェ素子４１４ａの一方の熱交換面には、第１伝熱ブロック４１４ｂが取り付けられ、第１伝熱ブロック４１４ｂが第１空間Ｓ１内に配置されている。第２空間Ｓ２に向いたペルチェ素子４１４ａの他方の熱交換面には、第２伝熱ブロック４１４ｃが取り付けられ、第２伝熱ブロック４１４ｃが第２空間Ｓ２内に配置されている。第１伝熱ブロック４１４ｂ及び第２伝熱ブロック４１４ｃは、熱伝導性のよいアルミ合金等の金属材から構成され、第１空間Ｓ１及び第２空間Ｓ２を流れる空気の流通方向に沿って延びる突条状のフィンが複数設けられている。
【００３２】
第１空間Ｓ１は、仕切体４１５の上面に開口する第１吸込口４１５ｂ及び第１吹出口４１５ｃを介して上側貯蔵室４１１ａに連通している。第１空間Ｓ１には、第１伝熱ブロック４１４ｂとともに第１ファン４１４ｄが収納されている。
【００３３】
第２空間Ｓ２は、仕切体４１５の下面に開口する第２吸込口４１５ｄ及び第２吹出口４１５ｅを介して下側貯蔵室４１１ｂに連通している。第２空間Ｓ２には、第２伝熱ブロック４１４ｃとともに第２ファン４１４ｅが収納されている。
【００３４】
このような調整部４１４は、不図示の電源基板からペルチェ素子４１４ａ、第１ファン４１４ｄ及び第２ファン４１４ｅに駆動電力が入力される。
【００３５】
ペルチェ素子４１４ａに駆動電力が入力されると、ペルチェ素子４１４ａの一方の熱交換面が発熱して、第１伝熱ブロック４１４ｂを加熱し、ペルチェ素子４１４ａの他方の熱交換面が吸熱して、第２伝熱ブロック４１４ｃを冷却する。
【００３６】
第１ファン４１４ｄに駆動電力が入力されると、第１ファン４１４ｄが回転して、上側貯蔵室４１１ａの空気が、第１吸込口４１５ｂから第１空間Ｓ１へ吸い込まれ、第１吸込口４１５ｂから第１吹出口４１５ｃへ向けて第１空間Ｓ１を流れる。第１空間Ｓ１を流れる空気は、ペルチェ素子４１４ａによって加熱された第１伝熱ブロック４１４ｂと熱交換して加熱された後、第１吹出口４１５ｃより上側貯蔵室４１１ａへ吹き出し、上側貯蔵室４１１ａを加熱する。
【００３７】
第２ファン４１４ｅに駆動電力が入力されると、第２ファン４１４ｅが回転して、下側貯蔵室４１１ｂの空気が、第２吸込口４１５ｄから第２空間Ｓ２へ吸い込まれ、第２吸込口４１５ｄから第２吹出口４１５ｅへ向けて第２空間Ｓ２を流れる。第２空間Ｓ２を流れる空気は、ペルチェ素子４１４ａによって冷却された第２伝熱ブロック４１４ｃと熱交換して加熱された後、第２吹出口４１５ｅより下側貯蔵室４１１ｂへ吹き出し、下側貯蔵室４１１ｂを冷却する。
【００３８】
上側貯蔵室４１１ａ及び下側貯蔵室４１１ｂの温度は、調整部４１４に設けられた第１ファン４１４ｄや第２ファン４１４ｅの回転数を制御したり、ペルチェ素子４１４ａの一方に供給する電力量を制御することで調整することができる。また、第１吹出口４１５ｃや第２吹出口４１５ｅにダンパを設け、当該ダンパによって各吹出口４１５ｃ，４１５ｅの開度を調整することで、上側貯蔵室４１１ａ及び下側貯蔵室４１１ｂの温度を調整してもよい。
【００３９】
第２貯蔵庫ユニット４２は、図６に示すように、調整部４２４を備えた仕切体４２５が貯蔵室４２１を左右に区画している点で、上記した第１貯蔵庫ユニット４１と相違するが、その他の構成は基本的に第１貯蔵庫ユニット４１と同一である。
【００４０】
すなわち、第２貯蔵庫ユニット４２を構成する筐体４２２は、前面が開口し内部を貯蔵室４２１とした断熱性を有した箱状体からなり、収納部３１Ｌ、３１Ｒ、３２Ｌ、３２Ｒなど、中央仕切板２４によって区画された任意の収納部へ挿入可能な形状及び大きさをなしている。
【００４１】
筐体４２２の背面の所定位置には、不図示の受電コネクタが設けられており、貯蔵庫ユニット４２を収納部３１Ｌ、３１Ｒ、３２Ｌ、３２Ｒに挿入して家具本体２に装着すると、受電コネクタが家具本体２に設けられた給電コネクタ２６に接続され、貯蔵庫ユニット４２が外部電源に接続される。また、家具本体２に装着された貯蔵庫ユニット４２は、前方へ引き抜くことで受電コネクタと給電コネクタ２６との接続が解除され、収納部３１Ｌ、３１Ｒ、３２Ｌ、３２Ｒから取り外される。
【００４２】
貯蔵室４２１は、仕切体４２５の左側に左側貯蔵室４２１ａが形成され、右側に右側貯蔵室４２１ｂを形成されている。仕切体４２５に設けられた調整部４２４は、上記した調整部４１４と同様、図６に示すように、ペルチェ素子４２４ａ、第１伝熱ブロック４２４ｂ、第２伝熱ブロック４２４ｃ、第１ファン４２４ｄ及び第２ファン４２４ｅを有し、仕切体４２５の内部に形成された第１空間Ｓ１及び第２空間Ｓ２に設けられている。
【００４３】
調整部４２４は、不図示の電源基板からペルチェ素子４２４ａ、第１ファン４２４ｄ及び第２ファン４２４ｅに駆動電力が入力されると、第１伝熱ブロック４２４ｂを加熱し、第２伝熱ブロック４２４ｃを冷却するとともに、第１ファン４２４ｄ及び第２ファン４２４ｅが回転する。
【００４４】
調整部４２４は、第１吸込口４２５ｂから第１空間Ｓ１へ吸い込んだ空気を第１伝熱ブロック４２４ｂとの熱交換により加熱した後、第１吹出口４２５ｃより左側貯蔵室４２１ａへ供給して左側貯蔵室４２１ａを加熱するとともに、第２吸込口４２５ｄから第２空間Ｓ２へ吸い込んだ空気を第２伝熱ブロック４２４ｃとの熱交換により冷却した後、第２吹出口４２５ｅより右側貯蔵室４２１ｂへ供給して右側貯蔵室４２１ｂを冷却する。
【００４５】
第３貯蔵庫ユニット４３は、調整部４３４の構成が上記した貯蔵庫ユニット４１、４２に設けられた調整部４１４、４２４と相違するが、その他の構成は基本的に貯蔵庫ユニット４１、４２と同一である。
【００４６】
すなわち、第３貯蔵庫ユニット４３を構成する筐体４３２は、前面が開口し内部を貯蔵室４３１とした断熱性を有した箱状体からなり、収納部３１Ｌ、３１Ｒ、３２Ｌ、３２Ｒなど、中央仕切板２４によって区画された任意の収納部へ挿入可能な形状及び大きさをなしている。
【００４７】
筐体４３２の背面の所定位置には、受電コネクタ４３８が設けられており、第３貯蔵庫ユニット４３を収納部３１Ｌ、３１Ｒ、３２Ｌ、３２Ｒに挿入して家具本体２に装着すると、受電コネクタ４３８が家具本体２に設けられた給電コネクタ２６に接続され、第３貯蔵庫ユニット４３が外部電源に接続される。また、家具本体２に装着された第３貯蔵庫ユニット４３は、前方へ引き抜くことで受電コネクタ４３８と給電コネクタ２６との接続が解除され、収納部３１Ｌ、３１Ｒ、３２Ｌ、３２Ｒから取り外される。
【００４８】
調整部４３４は、貯蔵室４３１の冷却及び加熱を、不図示のスイッチによって切り換えて実行するものであって、図８に示すような冷凍サイクルから構成されている。
【００４９】
調整部４３４を構成する冷凍サイクルは、圧縮機６１、凝縮器６２、キャピラリーチューブ６３、蒸発器６４及び四方弁６５を備え、凝縮器６２、キャピラリーチューブ６３及び蒸発器６４が順に接続されるとともに、圧縮機６１の吐出側配管６１ａ及び吸込側配管６１ｂと、凝縮器６２と、蒸発器６４とが四方弁６５にそれぞれ接続されている。
【００５０】
圧縮機６１、凝縮器６２及びキャピラリーチューブ６３は、筐体４３２の背面下部に形成された機械室４３５に収納され、蒸発器６４は、貯蔵室４３１の背面に設けられた蒸発器室４３６に送風ファン４３７とともに収納されている。
【００５１】
このような調整部４３４は、スイッチによって制御される四方弁６５の切換動作で上記冷凍サイクルを流れる冷媒の循環方向を可逆にすることにより、貯蔵室４３１の冷却及び加熱を行う。
【００５２】
具体的には、貯蔵室４３１を冷却する場合、四方弁６５が、圧縮機６１の吐出側配管６１ａと凝縮器６２を接続し、圧縮機６１の吸込側配管６１ｂと蒸発器６４を接続する。そして、不図示の電源基板から圧縮機６１及び送風ファン４３７に駆動電力を入力して、圧縮機６１を駆動しながら送風ファン４３７を回転させる。
【００５３】
これにより、蒸発器室４３６に設けられた蒸発器６４が、蒸発器室４３６の空気を冷却する。蒸発器６４で冷却された空気は、送風ファン４３７の送風作用によって蒸発器室４３６から貯蔵室４３１へ導入され貯蔵室４３１を冷却する。貯蔵室４３１を冷却し終えた空気は、蒸発器室４３６に戻され蒸発器６４と熱交換して再び冷却される。
【００５４】
また、貯蔵室４３１を加熱する場合、四方弁６５が、圧縮機６１の吐出側配管６１ａと蒸発器６４を接続し、圧縮機６１の吸込側配管６１ｂと凝縮器６２を接続する。そして、不図示の電源基板から圧縮機６１及び送風ファン４３７に駆動電力を入力して、圧縮機６１を駆動しながら送風ファン４３７を回転させる。
【００５５】
これにより、蒸発器室４３６に設けられた蒸発器６４が、蒸発器室４３６の空気を加熱する。蒸発器６４で加熱された空気は、送風ファン４３７の送風作用によって蒸発器室４３６から貯蔵室４３１へ導入され貯蔵室４３１を加熱する。貯蔵室４３１を加熱し終えた空気は、蒸発器室４３６に戻され蒸発器６４と熱交換して再び加熱される。
【００５６】
第４貯蔵庫ユニット４４を構成する筐体４４２は、鋼板製の外箱と合成樹脂製の内箱との間隙にウレタンフォームなどの断熱材を発泡充填することで、前面が開口し内部を貯蔵室４１１とした断熱性を有した箱状体からなる。この筐体４４２は、図１及び図９に示すように、正面形状が収納部３３、３４より若干小さい長方形状に設けられており、収納部３３、３４など、中央仕切板２４が設けられていない任意の収納部へ挿入可能な形状及び大きさをなしている。
【００５７】
図３及び図４に示すように、筐体４４２の背面の所定位置には、受電コネクタ４４８が設けられており、貯蔵庫ユニット４４を収納部３３、３４に挿入して家具本体２に装着すると、受電コネクタ４４８が家具本体２に設けられた給電コネクタ２６に接続され、貯蔵庫ユニット４４が外部電源に接続される。また、家具本体２に装着された貯蔵庫ユニット４４は、前方へ引き抜くことで受電コネクタ４４８と給電コネクタ２６との接続が解除され、収納部３３、３４から取り外される。
【００５８】
図９に示すように、筐体４４２の内部に設けられた貯蔵室４４１は、断熱仕切壁４５２によって左右に断熱的に区画され、断熱仕切壁４５２の右側に右側貯蔵室４４１ａが形成され、断熱仕切壁４５２の左側に左側貯蔵室４４１ｂが形成されている。
【００５９】
右側貯蔵室４４１ａ及び左側貯蔵室４４１ｂには、それぞれ扉４４３ａ、４４３ｂが別々に設けられており、各貯蔵室４４１ａ、４４１ｂを独立して開閉することができるようになっている。
【００６０】
調整部４４４は、図１０に示すような冷凍サイクルから構成され、右側貯蔵室４４１ａを加熱し、左側貯蔵室４４１ｂを冷却する。
【００６１】
調整部４４４を構成する冷凍サイクルは、圧縮機７１、庫内凝縮器７２、庫外凝縮器７６、キャピラリーチューブ７３、蒸発器７４及び三方弁７５を備える。圧縮機７１の吐出側配管７１ａには三方弁７５が接続され、三方弁７５から二股に分かれた冷媒流路の一方に庫内凝縮器７２が接続され、他方に庫外凝縮器７６が接続されており、三方弁７５を切り替えることで、圧縮機６１より吐出された高温高圧のガス状の冷媒を庫内凝縮器７２と庫外凝縮器７６に切り替えて流すようになっている。庫内凝縮器７２及び庫外凝縮器７６の下流側には、キャピラリーチューブ７３を介して蒸発器７４が接続されている。蒸発器７４の下流側は、圧縮機７１の吸込側配管７１ｂが接続され、蒸発器７４を流れた冷媒が再び圧縮機７１に取り込まれ冷凍サイクルを循環する。
【００６２】
図１０、図１１及び図１２に示すように、圧縮機７１、庫外凝縮器７３、キャピラリーチューブ７３及び三方弁７５は、右側貯蔵室４４１ａの後方における筐体４４２の背面下部に形成された機械室４４５に収納されている。庫内凝縮器７２は、右側貯蔵室４４１ａの背面に設けられた凝縮器室４４９に送風ファン４５０とともに収納されている。蒸発器７４は、左側貯蔵室４４１ｂの背面に設けられた蒸発器室４４６に送風ファン４４７とともに収納されている。
【００６３】
このような調整部４３４は、右側貯蔵室４４１ａを加熱し、左側貯蔵室４４１ｂを冷却する場合、不図示の電源基板から圧縮機７１、三方弁７５及び送風ファン４４７、４５０に駆動電力を入力して、圧縮機７１の吐出側配管７１ａと庫内凝縮器７２を接続して高温高圧のガス状の冷媒を庫内凝縮器７２に供給するとともに、送風ファン４４７、４５０を回転させる。
【００６４】
これにより、庫内凝縮器７２は、圧縮機７１より供給された高温高圧のガス状の冷媒によって加熱され、凝縮器室４４９の空気を加熱し、蒸発器７４は、キャピラリーチューブ７３より供給された低温の冷媒によって冷却され、蒸発器室４４６の空気を冷却する。
【００６５】
庫内凝縮器７２によって加熱され凝縮器室４４９の空気は、送風ファン４５０の送風作用によって凝縮器室４４９から右側貯蔵室４４１ａへ導入され右側貯蔵室４４１ａを加熱する。右側貯蔵室４４１ａを冷却し終えた冷気は、凝縮器室４４９に戻され庫内凝縮器７２と熱交換して再び加熱される。
【００６６】
蒸発器７４で冷却された空気は、送風ファン４４７の送風作用によって蒸発器室４４６から左側貯蔵室４４１ｂへ導入され左側貯蔵室４４１ｂを冷却する。左側貯蔵室４４１ｂを冷却し終えた冷気は、蒸発器室４４６に戻され蒸発器７４と熱交換して再び冷却される。
【００６７】
また、右側貯蔵室４４１ａを加熱することなく、左側貯蔵室４４１ｂを冷却する場合、調整部４３４は、不図示の電源基板から圧縮機７１、三方弁７５及び送風ファン４４７に駆動電力を入力して、圧縮機７１の吐出側配管７１ａと庫外凝縮器７６を接続して高温高圧のガス状の冷媒を庫外凝縮器７６に供給するとともに、送風ファン４４７を回転させる。
【００６８】
これにより、圧縮機７１より供給された高温高圧のガス状の冷媒は、庫外凝縮器７６において冷却された後、キャピラリーチューブ７３を介して蒸発器７４に供給される。蒸発器７４は、キャピラリーチューブ７３より供給された低温の冷媒によって冷却され、蒸発器室４４６の空気を冷却する。
【００６９】
蒸発器７４で冷却された空気は、送風ファン４４７の送風作用によって蒸発器室４４６から左側貯蔵室４４１ｂへ導入され左側貯蔵室４４１ｂを冷却する。左側貯蔵室４４１ｂを冷却し終えた冷気は、蒸発器室４４６に戻され蒸発器７４と熱交換して再び冷却される。
【００７０】
以上のような本実施形態の家具１では、家具本体２に設けられた複数の収納部３１、３２、３３、３４に貯蔵庫ユニット４１、４２、４３、４４を着脱することができるため、貯蔵雰囲気が調整可能な貯蔵庫ユニット４１、４２、４３、４４を任意の収納部３１、３２、３３、３４に装着することができ、収納スペースのレイアウトの自由度が高く、使い勝手を向上することができる。
【００７１】
また、本実施形態の家具１では、貯蔵庫ユニット４１、４２、４３、４４を収納部３１、３２、３３、３４に挿入すると、受電コネクタ４１８、４３８、４４８が家具本体２に設けられた給電コネクタ２６に接続されるため、商用電源からの電力を貯蔵庫ユニット４１、４２、４３、４４に簡便に供給することができる。
【００７２】
また、本実施形態の家具１では、貯蔵庫ユニット４１，４２，４３，４４が収納部３１、３２、３３に挿入され状態において、貯蔵庫ユニット４１，４２，４３，４４の筐体４１２、４２２、４３２、４４２の背面より後方に家具本体２の後端が位置する。そのため、部屋の壁面に家具１の背面を沿わせて家具１を設置する場合でも、貯蔵庫ユニット４１，４２，４３，４４の背面と部屋の壁面との間に空間が形成され、貯蔵庫ユニット４１，４２，４３，４４から発生する熱を効率的に外部へ排出することがでる。
【００７３】
また、本実施形態では、貯蔵庫ユニット４１、４２に設けられた調整部４１４，４２４が、一方の貯蔵室４１１ａ、４２１ａを加熱するとともに、他方の貯蔵室４１１ｂ、４２１ｂを冷却するため、ペルチェ素子４１４ａ、４２４ａから発生する温熱及び冷熱を、貯蔵室の温度調節に利用することができ、消費電力を抑えることができる。
【００７４】
また、本実施形態では、貯蔵庫ユニット４４に設けられた調整部４４４が、一方の貯蔵室４４１ａを加熱する庫内凝縮器７２と、他方の貯蔵室４４１ｂを冷却する蒸発器７４とを備えた冷凍サイクルから構成されているため、冷凍サイクルから発生する温熱及び冷熱を、貯蔵室の温度調節に利用することができ、消費電力を抑えることができる。
【００７５】
（他の実施形態）
上記した実施形態では、家具本体２に装着される貯蔵庫ユニットが、ペルチェ素子を備える調整部や冷凍サイクルから構成された調整部によって、貯蔵室の温度を調整する場合について説明したが、ヒータによって貯蔵室の温度を調整してもよい。
【００７６】
また、上記した実施形態では、家具本体２に装着される貯蔵庫ユニットが、調整部によって貯蔵室温度を調整する場合について説明したが、例えば、貯蔵室の湿度を調整したり、貯蔵室内の酸素濃度を調整したり、貯蔵室内の圧力を調整してもよい。
【００７７】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７８】
１…家具、２…家具本体、２０Ｌ、２０Ｒ…側板、２１…天板、２２…底板、２３…棚板、２４…中央仕切板、２５…横桟、２６…給電コネクタ、２７…配線、３１，３２，３３，３４…収納部、４１，４２，４３，４４…貯蔵庫ユニット、５０…引き出し、４１１、４２１，４３１，４４１…貯蔵室、４１２、４２２，４３２，４４２…筐体、４１３、４２３，４３３，４４３…扉、４１４、４２４，４３４，４４４…調整部、４１８，４３８，４４８…受電コネクタ
【図１】
2020041762.tif 000003
【図２】
2020041762.tif 000004
【図３】
2020041762.tif 000005
【図４】
2020041762.tif 000006
【図５】
2020041762.tif 000007
【図６】
2020041762.tif 000008
【図７】
2020041762.tif 000009
【図８】
2020041762.tif 000010
【図９】
2020041762.tif 000011
【図１０】
2020041762.tif 000012
【図１１】
2020041762.tif 000013
【図１２】
2020041762.tif 000014